(57)【特許請求の範囲】
【請求項１】
製品（７）を充填収容するための容積（３）を画定し、その環状周縁領域（２）に封着された可撓性の蓋（６）を用いて閉じられる開口（４）を有し、容易に開く区域（８）により結合された２つの部分（１ａ、１ｂ）に分けて作成されており、該２つの部分は、前記開口（４）に隣接する前記環状周縁領域（２）で枢動させることによって前記蓋（６）の無い側で引き離すことができるようにしてある実質的に剛性の包装シェルにおいて、前記区域（８）により結合された２つの部分（１ａ、１ｂ）は本質的に半球形であり、前記区域（８）は赤道区域であることを特徴とする包装シェル。
【請求項２】
前記容易に開く区域（８）は、例えば薄肉の壊れやすい区域であるか、又は剥離テープにより被覆された開口区域であることを特徴とする、請求項１に記載のシェル。
【発明の詳細な説明】
【技術分野】
【０００１】
本発明は、製品を充填収容するための容積を画定し、且つ蓋により閉じられる、実質的に剛性の包装シェルに関する。
【背景技術】
【０００２】
このようなシェルは、例えば欧州特許第０９５２０９３号、フランス特許第２，７７３，１３７号及びフランス特許第２，７８６，４７１号から、チーズ包装用に公知である。これらのシェルにおいて、蓋は実質的に剛性であり、製品へのアクセスを可能にするためにシェルから取り外すことができる。他の公知の包装具において、蓋は、シェルから取り外すことのできる可撓性フィルムである。どちらの場合においても、シェル内の製品へアクセスは、特に、内部に充填収容される製品がシェル壁に粘着する傾向がある場合には必ずしも満足のいくものではない。すなわち、蓋を取り外した後でも、依然として製品をシェルから取り出す必要がある。食品の場合、その取出しは必ずしもあまり衛生的ではなく、また指を汚すことがある。米国特許第３，５２１，８０５号はフィルムにより閉じられる包装シェルを示しており、その形状は、それを指で折り曲げたときに、首の形状のシェルの部分が割れて、必然的に流体状（粉末、液体又はペースト）である製品を小出しにすることを可能にする効果を有する。ドイツ特許第７６０７８９７Ｕ号、米国特許第４，２６６，６６７号及び米国特許第３，０７５，６３９号は、鉛筆又は無菌針等の非食品を収容するように設計された、幾分接合されたブリスタ型包装具を示すが、指の接触が望ましくないチーズ等の食品の問題には適さない。
【０００３】
本発明の目的は、シェル内に充填収容された製品に手を触れる必要なく前記製品に容易にアクセスすることを可能にする包装シェル、特にチーズ等の固体製品用として好適な包装シェルを提供することにある。
【０００４】
本発明は、製品を充填収容するための容積を画定し、その環状周縁領域に封着された可撓性の蓋を用いて閉じられる開口を有し、容易に開く区域により結合された２つの部分に分けて作成されており、該２つの部分は、前記開口に隣接する前記環状周縁領域で枢動させることによって前記蓋の無い側で引き離すことができるようにしてある実質的に剛性の包装シェルにおいて、前記区域により結合された２つの部分は本質的に半球形であり、前記区域は赤道区域であることを特徴とする。これにより使用者は、製品をシェル内に充填する際に使用されている蓋を開けることによってではなく、半球形をなすシェルを赤道区域にて２つに分離し、蓋をヒンジとして枢動させて開き、シェル内に充填収容され且つ依然として部分的に蓋に載っている製品を露呈させて製品にアクセスする。蓋は（少なくとも局所的にヒンジ軸においては）可撓性であるので、シェルの２つの部分の枢動に対し抵抗を呈さない。
【０００５】
容易に開く区域は、例えば薄肉の壊れやすい区域であるか、又は剥離テープによって被覆された開口区域であることが有利である。
【０００６】
本発明は、手をべとつかせることなく容易に食べることのできる、個別部分に切り分けられたチーズ、塩漬け肉又は塩漬け魚等の食品を充填収容する包装用のシェルとして適用することが好ましい。
【０００７】
本発明の他の特徴及び利点は、添付の図面を参照しながら以下の説明を読むことにより明らかになるであろう。
【特許文献１】欧州特許第０９５２０９３号明細書
【特許文献２】仏国特許発明第２，７７３，１３７号明細書
【特許文献３】仏国特許発明第２，７８６，４７１号明細書
【特許文献４】米国特許第３，５２１，８０５号明細書
【特許文献５】独国特許発明第７６０７８９７Ｕ号明細書
【特許文献６】米国特許第４，２６６，６６７号明細書
【特許文献７】米国特許第３，０７５，６３９号明細書
【発明を実施するための最良の形態】
【０００８】
基本的に半球形をなすシェル１は平坦な環状周縁２を備え、例えば、透明なプラスチック材料で生産される。シェルは、その円形開口４が閉じられるように設計されたハウジング３を形成する。このシェル１内に充填収容される製品は、公知の技術により、開口を通って上下逆さまのシェル１内に導入され（矢印５）、金属−プラスチック複合体等のフィルム６が環状周縁２上に封着してかぶせらることにより製品７を有したシェル１が密閉される。
【０００９】
シェル１は、環状周縁２により結合される２つの対称形の半シェル１ａ、１ｂへの分割を可能とする開口中央赤道区域８を備える。該区域８は外側をテープ９で被覆されており、該テープ９の少なくとも一端１０は、手で掴むことができるタブを形成する。テープ９は、２つの半シェル１ａ、１ｂの各々に固定するために、両側（又は片側だけ）が開口区域８を超えて突出している。テープ８は、シェルの成形中に、成形物にラベルを付着させる公知の技術により貼り付けることができる。然るべき位置に貼り付けられたとき、それは区域８を密封し、これにより製品７を導入することを可能にする。
【００１０】
製品へのアクセスを得る際には、消費者はタブ１０を掴んでそれを引っ張ることにより、テープ９を取り外して開口区域８を露出させる。
【００１１】
今、２つの半シェル１ａ、１ｂは、環状周縁２及び可撓性フィルム６によってのみ結合されている。消費者は次いで、要望が有れば片手で、２つの半シェル１ａ、１ｂを、赤道区域８の面が環状周縁２と交差する直径１１を略中心として蝶番運動（枢動）させて、基部がフィルム６上に載っている製品７を露呈させることができる。フィルムは可撓性であって運動を妨げず、また環状周縁２はより剛性であるがその幅は比較的狭いので、２つの半シェルは容易に蝶番運動する。さらに、必要に応じて、低減された厚さ等、１本の脆弱線を環状周縁２に直径１１に沿って設けることが可能である。また、全体的に可撓性のフィルム６に代わって、剛性であるが直径１１に沿ってヒンジを備えて継ぎ目接合が可能な蓋を用いることも可能である。
【００１２】
完全に剥離されるテープ９の代わりに、テープを引き裂いて２つの半シェル１ａ、１ｂを分離させることのできる開封糸を組み込んだテープを使用することもできる。また、例えば容易に引き裂かれる脆弱化した赤道区域、又は２本の脆弱線の間に形成されて、それ自体が一体の引き裂き可能なタブを形成する赤道区域等、シェル１の同様の分離を可能にする他のどのようなシステムを使用することも可能である。
【図面の簡単な説明】
【００１３】
【図１】充填して閉じる前の本発明に係るシェルの略断面図である。
【図２】充填してフィルムで閉じた後の同一シェルの略断面図である。
【図３】消費者に提供される状態のシェルの斜視図である。
【図４】開口タブが剥離され始めた状態の同一シェルの斜視図である。
【図５】半シェルが枢動されて開いた状態の同一シェルの斜視図である。
【図１】
0003730219.tif 000002
【図２】
0003730219.tif 000003
【図３】
0003730219.tif 000004
【図４】
0003730219.tif 000005
【図５】
0003730219.tif 000006